(57)【要約】【課題】動作モードと省電力モードとで、電源回路の出力電圧を切り替えることで、消費電力を低減することができる画像処理装置を提供すること。【解決手段】モード切替信号に応じて第１電圧もしくは第１電圧より低い第２電圧のいずれかを出力する電源回路と、電源回路から給電されて動作する電子回路と、電源回路が出力する第１電圧を第２電圧と同一か略等しい電圧に変換し、電子回路に出力する電圧変換器と、電圧変換器を短絡する経路を形成する短絡手段と、を備える構成とする。【選択図】図２
2010109962.tif 000002
【特許請求の範囲】
【請求項１】
動作モードと、省電力モードとを備え、前記省電力モードにおいては装置の一部を除いて給電を停止することが可能な画像処理装置であって、
モード切替信号に応じて第１電圧もしくは前記第１電圧より低い第２電圧のいずれかを出力する電源回路と、
前記電源回路から給電されて動作する電子回路と、
前記電源回路が出力する第１電圧を前記第２電圧と同一か略等しい電圧に変換し、前記電子回路に出力する電圧変換器と、
前記電圧変換器を短絡する経路を形成する短絡手段と、を備えることを特徴とする画像処理装置。
【請求項２】
前記電圧変換器は、前記モード切替信号に応じて変換動作を停止することを特徴とする、請求項１に記載の画像処理装置。
【請求項３】
前記電圧変換器は、前記電源回路の出力電圧が、前記第１電圧以下、前記第２電圧以上である基準電圧を下回る時には変換動作を停止することを特徴とする、請求項１に記載の画像処理装置。
【請求項４】
前記電子回路は、
前記電源回路が前記第１電圧を出力する場合にのみ動作する第１機能部と、
前記電源回路が前記第１電圧もしくは前記第２電圧のいずれかを出力する場合に動作する第２機能部と、を備えることを特徴とする、請求項１乃至３に記載の画像処理装置。
【請求項５】
前記モード切替信号に応じて前記短絡手段を短絡もしくは開放させる遅延回路を備えることを特徴とする、請求項１乃至４に記載の画像処理装置。
【請求項６】
前記電源回路の出力電圧が、前記第２機能部の最大定格電圧以下、かつ、前記基準電圧以上である範囲で、前記短絡手段を短絡もしくは開放させる短絡制御手段を備えることを特徴とする、請求項４に記載の画像処理装置。
【請求項７】
前記第１機能部は、
前記電源回路が出力する第１電圧で動作する第１電圧動作部と、
前記電圧変換器が出力する第２電圧と同一か略等しい電圧で動作する第２電圧動作部と、を備えることを特徴とする、請求項４乃至６に記載の画像処理装置。
【請求項８】
前記モード切替信号は、
前記動作モードから前記省電力モードへ移行する場合に、前記電源回路の出力電圧を前記第１電圧から前記第２電圧へ切り替え、
前記省電力モードから前記動作モードへ復帰する場合に、前記電源回路の出力電圧を前記第２電圧から前記第１電圧へ切り替えることを特徴とする、請求項１乃至７に記載の画像処理装置。
【発明の詳細な説明】
【技術分野】
【０００１】
本発明は、画像処理装置に関する。特に、省電力モードにおいて装置の一部を除いて給電を停止することが可能な画像処理装置に関する。
【背景技術】
【０００２】
従来、装置の消費電力を低減させる技術について、種々の提案がなされている。例えば、特許文献１である。
【先行技術文献】
【特許文献】
【０００３】
【特許文献１】特開平１１−１７７７３１号公報
【０００４】
特許文献１には、装置が有する複数の機能を利用可能な通常電力モードと、機能が利用されない場合に各機能を停止させて消費電力を低減する低消費電力モードとが設けられた通信端末装置が開示されている。通常電力モードでは、装置全体にメイン電源から電力が供給され、低消費電力モードでは、通常電力モードへ復帰するための外部トリガである回線呼び出しやオペレーション等を検出する検出回路にのみ、メイン電源から電力が供給される。低消費電力モードになると、装置全体に供給されていた電力は、検出回路にのみ供給されることになるので、装置での消費電力が低減される。
【発明の概要】
【発明が解決しようとする課題】
【０００５】
特許文献１に記載の装置では、低消費電力モードであっても、通常電力モードであっても、いずれの場合にもメイン電源自体は同じ態様で電力を供給する。メイン電源では、装置全体を動作させるために大きな電力を生成する必要があり、メイン電源自体でもその分だけ電力が消費される。低消費電力モードになった場合には、検出回路のみが動作し、他の回路は停止されるが、検出回路への電力供給はメイン電源によって同様に行われるため、メイン電源での消費電力は変わらない。したがって、低消費電力モードであっても、消費電力を十分に低減できないという問題点があった。
【０００６】
本発明は上記の課題に鑑み提案されたものである。本発明は、動作モードと省電力モードとで、電源回路の出力電圧を切り替えることで、消費電力を低減することができる画像処理装置を提供することを目的とする。
【課題を解決するための手段】
【０００７】
本発明の請求項１に係る画像処理装置は、動作モードと、省電力モードとを備え、省電力モードにおいては装置の一部を除いて給電を停止することが可能な画像処理装置であって、モード切替信号に応じて第１電圧もしくは第１電圧より低い第２電圧のいずれかを出力する電源回路と、電源回路から給電されて動作する電子回路と、電源回路が出力する第１電圧を第２電圧と同一か略等しい電圧に変換し、電子回路に出力する電圧変換器と、電圧変換器を短絡する経路を形成する短絡手段と、を備える。
【０００８】
本発明の請求項２に係る画像処理装置は、請求項１の画像処理装置において、電圧変換器は、モード切替信号に応じて変換動作を停止する。
【０００９】
本発明の請求項３に係る画像処理装置は、請求項１の画像処理装置において、電圧変換器は、電源回路の出力電圧が、第１電圧以下、第２電圧以上である基準電圧を下回る時には変換動作を停止する。
【００１０】
本発明の請求項４に係る画像処理装置は、請求項１乃至３の画像処理装置において、電子回路は、電源回路が第１電圧を出力する場合にのみ動作する第１機能部と、電源回路が第１電圧もしくは第２電圧のいずれかを出力する場合に動作する第２機能部と、を備える。
【００１１】
本発明の請求項５に係る画像処理装置は、請求項１乃至４の画像処理装置において、モード切替信号に応じて短絡手段を短絡もしくは開放させる遅延回路を備える。
【００１２】
本発明の請求項６に係る画像処理装置は、請求項４の画像処理装置において、電源回路の出力電圧が、第２機能部の最大定格電圧以下、かつ、基準電圧以上である範囲で、短絡手段を短絡もしくは開放させる短絡制御手段を備える。
【００１３】
本発明の請求項７に係る画像処理装置は、請求項４乃至６の画像処理装置において、第１機能部は、電源回路が出力する第１電圧で動作する第１電圧動作部と、電圧変換器が出力する第２電圧と同一か略等しい電圧で動作する第２電圧動作部と、を備える。
【００１４】
本発明の請求項８に係る画像処理装置は、請求項１乃至７の画像処理装置において、モード切替信号は、動作モードから省電力モードへ移行する場合に、電源回路の出力電圧を第１電圧から第２電圧へ切り替え、省電力モードから動作モードへ復帰する場合に、電源回路の出力電圧を第２電圧から第１電圧へ切り替える。
【発明の効果】
【００１５】
本発明の請求項１に係る画像処理装置によれば、電源回路は、モード切替信号に応じて第１電圧もしくは第１電圧より低い第２電圧を出力する。また、短絡手段は、第１電圧を第２電圧と同一か略等しい電圧に変換する電圧変換器を短絡する経路を形成する。これにより、電源回路が出力する第２電圧を、電圧変換器を介さずに電子回路へ供給することができる。電子回路のうち必要な部分のみを第２電圧で動作させ、それ以外の部分を停止することができる。
【００１６】
この場合、電源回路は電子回路のうち必要な部分のみに対して第２電圧を供給すればよいため、電源回路自体の消費電力を抑えることができる。また、電源回路が出力する第２電圧を、電圧変換器を介することなく、短絡手段を介して供給することができるため、電圧変換器での消費電力も削減することができる。また、簡単な回路構成で消費電力の低減を実現することができるので、装置の小型化が図れる。
【００１７】
本発明の請求項２に係る画像処理装置によれば、電圧変換器は、モード切替信号に応じて変換動作を停止する。これにより、電圧変換器での消費電力を削減することができる。
【００１８】
本発明の請求項３に係る画像処理装置によれば、電圧変換器は、電源回路の出力電圧が第１電圧以下、第２電圧以上である基準電圧を下回る時には変換動作を停止する。これにより、電源回路の出力電圧が第１電圧から第２電圧へ下降する際、基準電圧を下回るのに合わせて電圧変換器の動作を停止し、電圧変換器での消費電力を削減することができる。
【００１９】
本発明の請求項４に係る画像処理装置によれば、電子回路のうち第１機能部は、電源回路の出力電圧が第１電圧である場合にのみ動作する。また、電子回路のうち第２機能部は、電源回路の出力電圧が第１電圧もしくは第２電圧である場合に動作する。これにより、電源回路が第１電圧を出力する場合には、電子回路の第１機能部、第２機能部がともに動作することができる。また、電源回路が第２電圧を出力する場合には、電子回路のうち第１機能部は停止し、第２機能部のみが動作することができる。したがって、電子回路のうち第２機能部のみを動作させて消費電力を低減するとともに、電源回路自体の消費電力を抑えることができる。
【００２０】
本発明の請求項５に係る画像処理装置によれば、遅延回路は、モード切替信号に応じて短絡手段を短絡もしくは開放させる。これにより、電源回路の出力電圧が第１電圧から第２電圧へ下降する際、電源回路の出力電圧が第２機能部の最大定格電圧以下になるまでの時間、遅延回路により遅延させて短絡手段を短絡させることができる。また、電源回路の出力電圧が第２電圧から第１電圧へ上昇する際、電源回路の出力電圧が電圧変換器の動作する基準電圧以上になるまでの時間、遅延回路により遅延させて短絡手段を開放させることができる。したがって、第２機能部を定格の範囲内で常時動作させることができる。
【００２１】
本発明の請求項６に係る画像処理装置によれば、短絡制御手段は、電源回路の出力電圧が、第２機能部の最大定格電圧以下、かつ、基準電圧以上である範囲で、短絡手段を短絡もしくは開放させる。これにより、電源回路の出力電圧に基づいて、第２機能部を定格の範囲内で常時動作させることができる。
【００２２】
本発明の請求項７に係る画像処理装置によれば、第１機能部のうち第１電圧動作部は電源回路が出力する第１電圧で動作し、第２電圧動作部は電圧変換器が出力する第２電圧と同一か略等しい電圧で動作する。したがって、第２電圧で動作するが省電力モードでは不要な機能を第２電圧動作部に配置することにより、動作モードにおいて第２電圧で動作し、省電力モードにおいて停止する構成が得られる。
【００２３】
本発明の請求項８に係る画像処理装置によれば、モード切替信号は、動作モードから省電力モードへ移行する場合に、電源回路の出力電圧を第１電圧から第２電圧へ切り替え、省電力モードから動作モードへ復帰する場合に、電源回路の出力電圧を第２電圧から第１電圧へ切り替える。これにより、モード切替信号によって動作モードと省電力モードとを切り替え、省電力モードにおいては電源回路が第２電圧を出力し、電子回路のうち第２機能部のみを動作させることができる。したがって、電源回路自体の消費電力を抑えながら、装置の消費電力を低減することができる。
【図面の簡単な説明】
【００２４】
【図１】本発明の画像処理装置の一例として、多機能周辺装置を示す外観斜視図である。
【図２】電気構成について一例を示すブロック図（動作モード）である。
【図３】動作モードから省電力モードへ移行する際のフローチャートである。
【図４】動作モードから省電力モードへ移行する際の挙動説明図である。
【図５】電気構成について一例を示すブロック図（省電力モード）である。
【図６】省電力モードから動作モードへ復帰する際のフローチャートである。
【図７】省電力モードから動作モードへ復帰する際の挙動説明図である。
【図８】電気構成について他の例を示すブロック図である。
【発明を実施するための形態】
【００２５】
以下、本発明の実施形態について図面を参照して説明する。
【００２６】
図１は、本発明の画像処理装置の一例として、多機能周辺装置１００を示す外観斜視図である。多機能周辺装置１００は、プリンタ機能、コピー機能、スキャナ機能などを備えている。また、多機能周辺装置１００は動作モードと省電力モードとを備え、省電力モードにおいては装置の一部を除いて給電を停止する。
【００２７】
図１に示されるように、多機能周辺装置１００は、合成樹脂製の本体ケース１０１によって覆われている。多機能周辺装置１００の前面には、給紙カセット１０２が挿入されている。給紙カセット１０２の上側には、排紙部１０３が配置されている。
【００２８】
多機能周辺装置１００の前面上部には、スロット部１０４が配置されている。スロット部１０４にメモリカード等の各種記憶媒体が装填されることによって、当該記憶媒体に記憶された画像データ等を印刷することが可能である。
【００２９】
多機能周辺装置１００の上側には、各種操作ボタン１０５や液晶表示部１０６等を備えた操作パネルが設けられている。
【００３０】
また、多機能周辺装置１００の内側には、プリントヘッドを搭載した印字キャリッジを駆動するための印字キャリッジモータ、用紙を搬送するための紙送りモータ、スキャナセンサーを搭載したスキャナキャリッジを駆動するためのスキャナキャリッジモータが備えられている。
【００３１】
次に、多機能周辺装置１００の電気構成について説明する。図２は、多機能周辺装置１００の電気構成について一例を示すブロック図である。ここで、図２のブロック図は、動作モードに対応している。
【００３２】
電源回路１は、入力された交流を直流に変換してメイン基板２に出力する。メイン基板２は、グランドが電源回路１と共通に接続される。メイン基板２は、電源回路１から給電されて動作する電子回路として第１機能部３と第２機能部５とを備える。
【００３３】
第１機能部３は、第１電圧動作部３１と第２電圧動作部３２とを備える。ここで、第１電圧動作部３１は第１電圧Ｖ１で動作し、第２電圧動作部３２は第２電圧Ｖ２で動作する。第１電圧動作部３１には、電源回路１の出力が接続される。また、第２電圧動作部３２には、電源回路１の出力が電圧変換器４を介して接続される。
【００３４】
第２機能部５には、電源回路１の出力が、電圧変換器４及びダイオードＤ１を通る経路と、短絡手段６及びダイオードＤ２を通る経路とで接続されるとともに、それら２つの経路からレギュレータ７を介しても接続される。また、第２機能部５の電圧供給ラインとグランドとの間にはコンデンサＣ１が接続される。
【００３５】
第２機能部５はモード切替信号ＰＳＤＯＷＮを出力する。モード切替信号ＰＳＤＯＷＮは電源回路１に入力されるとともに、遅延回路８を介して短絡手段６に入力される。
【００３６】
動作モードにおいては、モード切替信号ＰＳＤＯＷＮはＯＦＦ状態であり、Ｌレベルを維持している。モード切替信号ＰＳＤＯＷＮがＯＦＦ（Ｌレベル）の場合、電源回路１は第１電圧Ｖ１を出力する。したがって、電源回路１が出力する第１電圧Ｖ１によって第１電圧動作部３１が動作する。また、電圧変換器４は、電源回路１が出力する第１電圧Ｖ１を、第１電圧Ｖ１より低い第２電圧Ｖ２に変換して出力する。電圧変換器４が出力する第２電圧Ｖ２によって第２電圧動作部３２が動作する。なお、電圧変換器４が出力する第２電圧Ｖ２は、通常の誤差（例えば、±１％）を含んでいてもよい。
【００３７】
また、モード切替信号ＰＳＤＯＷＮがＯＦＦ（Ｌレベル）の場合、短絡手段６が備えるスイッチＳＷ１は開いている。したがって、第２機能部５には、電源回路１が出力する第１電圧Ｖ１が、電圧変換器４及びダイオードＤ１を介する経路で、第２電圧Ｖ２に変換されて入力される。また、レギュレータ７は入力された第２電圧Ｖ２より低い一定の電圧を第２機能部５に出力する。したがって、第２機能部５は、第２電圧Ｖ２とレギュレータ７の出力とが入力されて動作する。
【００３８】
続いて、動作モードから省電力モードへの移行について説明する。図３は動作モードから省電力モードへ移行する際のフローチャートである。Ｓ１１において、省電力モードに移行する条件が発生したか否かが判断される。省電力モードに移行する条件とは、例えば、多機能周辺装置１００の操作ボタン１０５からユーザによる要求があることや、一定時間無操作状態が続いたことに応じてソフトウェアによる要求があることなどである。省電力モード移行条件が発生した場合（Ｓ１１：ＹＥＳ）、Ｓ１２に移行する。一方、省電力モード移行条件が発生していない場合（Ｓ１１：ＮＯ）、再びＳ１１に戻る。すなわち、省電力モード移行条件が発生するまで、処理はＳ１１で待機する。
【００３９】
Ｓ１２において、モード切替信号ＰＳＤＯＷＮをＯＮ（Ｈレベル）にする。モード切替信号ＰＳＤＯＷＮがＯＮ（Ｈレベル）になると、電源回路１の出力電圧が、第１電圧Ｖ１から第２電圧Ｖ２へ下降し（Ｓ１３）、短絡手段６が備えるスイッチＳＷ１が閉じて短絡手段６が短絡され（Ｓ１４）、電圧変換器４が変換動作を停止する（Ｓ１５）。
【００４０】
Ｓ１３〜Ｓ１５の挙動について、図４を参照して詳細に説明する。図４は、動作モードから省電力モードへ移行する際の挙動を説明する図である。横軸は時間、縦軸は電源回路１の出力電圧を示す。また、Ｖａは第２機能部５の最大定格電圧を示し、Ｖｔｈはそれを下回ると電圧変換器４が変換動作を停止する基準電圧を示す。
【００４１】
時刻Ｔ１において、モード切替信号ＰＳＤＯＷＮがＯＮ（Ｈレベル）になるのに伴って、電源回路１の出力電圧が第１電圧Ｖ１から下降を始める。時刻Ｔ２において、電源回路１の出力電圧が第２機能部５の最大定格電圧Ｖａに等しくなる。時刻Ｔ３において、電源回路１の出力電圧が基準電圧Ｖｔｈに等しくなり、それ以後は電圧変換器４が変換動作を停止する。
【００４２】
この間、遅延回路８は、モード切替信号ＰＳＤＯＷＮがＯＮしてから、所定時間ｘだけ遅れて短絡手段６が備えるスイッチＳＷ１を閉じて短絡手段６を短絡させる。ここで、所定時間ｘは、Ｔ２−Ｔ１＜ｘ＜Ｔ３−Ｔ１とされる。したがって、時刻Ｔ２から時刻Ｔ３の期間にスイッチＳＷ１が閉じて短絡手段６が短絡される。すなわち、電源回路１の出力電圧が第２機能部５の最大定格電圧Ｖａ以下、基準電圧Ｖｔｈ以上であるタイミングで短絡手段６は短絡される。そのため、図３のフローチャートに示されるように、短絡手段６が短絡され（Ｓ１４）、その後、電圧変換器４が変換動作を停止する（Ｓ１５）。第２機能部５には、定格の範囲内の電圧が供給され続ける。
【００４３】
その結果、省電力モードに移行する。図５は、省電力モードに対応するブロック図である。省電力モードにおいては、モード切替信号ＰＳＤＯＷＮはＯＮ状態であり、Ｈレベルを維持している。モード切替信号ＰＳＤＯＷＮがＯＮ（Ｈレベル）の場合、電源回路１は第２電圧Ｖ２を出力する。したがって、第１電圧動作部３１は停止する。また、上述のように、電圧変換器４が変換動作を停止するため、第２電圧動作部３２も停止する。
【００４４】
また、モード切替信号ＰＳＤＯＷＮがＯＮ（Ｈレベル）の場合、短絡手段６が備えるスイッチＳＷ１は閉じている。したがって、第２機能部５には、電源回路１が出力する第２電圧Ｖ２が、短絡手段６及びダイオードＤ２を介する経路で入力される。また、レギュレータ７は入力された第２電圧Ｖ２より低い一定の電圧を第２機能部５に出力する。したがって、第２機能部５は、省電力モードにおいても動作モードと同様に、第２電圧Ｖ２とレギュレータ７の出力とが入力されて動作する。
【００４５】
続いて、省電力モードから動作モードへの復帰について説明する。図６は省電力モードから動作モードへ復帰する際のフローチャートである。Ｓ２１において、動作モードに復帰する条件が発生したか否かが判断される。動作モードに復帰する条件とは、例えば、多機能周辺装置１００の操作ボタン１０５からユーザによる要求があることや、ソフトウェアによる要求があることなどである。動作モード復帰条件が発生した場合（Ｓ２１：ＹＥＳ）、Ｓ２２に移行する。一方、動作モード復帰条件が発生していない場合（Ｓ２１：ＮＯ）、再びＳ２１に戻る。すなわち、動作モード復帰条件が発生するまで、処理はＳ２１で待機する。
【００４６】
Ｓ２２において、モード切替信号ＰＳＤＯＷＮをＯＦＦ（Ｌレベル）にする。モード切替信号ＰＳＤＯＷＮがＯＦＦ（Ｌレベル）になると、電源回路１の出力電圧が、第２電圧Ｖ２から第１電圧Ｖ１へ上昇し（Ｓ２３）、電圧変換器４が変換動作を開始し（Ｓ２４）、短絡手段６が備えるスイッチＳＷ１が開いて短絡手段６が開放される（Ｓ２５）。
【００４７】
Ｓ２３〜Ｓ２５の挙動について、図７を参照して詳細に説明する。図７は、省電力モードから動作モードへ復帰する際の挙動を説明する図である。図４と同様に、横軸は時間、縦軸は電源回路１の出力電圧を示し、また、Ｖａは第２機能部５の最大定格電圧を示し、Ｖｔｈはそれを下回ると電圧変換器４が変換動作を停止する基準電圧を示す。
【００４８】
時刻Ｔ４において、モード切替信号ＰＳＤＯＷＮがＯＦＦ（Ｌレベル）になるのに伴って、電源回路１の出力電圧が第２電圧Ｖ２から上昇を始める。時刻Ｔ５において、電源回路１の出力電圧が基準電圧Ｖｔｈに等しくなり、それ以後は電圧変換器４が変換動作をする。時刻Ｔ６において、電源回路１の出力電圧が第２機能部５の最大定格電圧Ｖａに等しくなる。
【００４９】
この間、遅延回路８は、モード切替信号ＰＳＤＯＷＮがＯＦＦしてから、所定時間ｙだけ遅れて短絡手段６が備えるスイッチＳＷ１を開いて短絡手段６を開放させる。ここで、所定時間ｙは、Ｔ５−Ｔ４＜ｙ＜Ｔ６−Ｔ４とされる。したがって、時刻Ｔ５から時刻Ｔ６の期間にスイッチＳＷ１が開いて短絡手段６が開放される。すなわち、電源回路１の出力電圧が基準電圧Ｖｔｈ以上、第２機能部５の最大定格電圧Ｖａ以下であるタイミングで短絡手段６は開放される。そのため、図６のフローチャートに示されるように、電圧変換器４が変換動作を開始し（Ｓ２４）、その後、短絡手段６が開放される（Ｓ２５）。第２機能部５には、定格の範囲内の電圧が供給され続ける。
【００５０】
その結果、動作モードに復帰する。図２を参照して説明したように、電源回路１は第１電圧Ｖ１を出力し、第１電圧動作部３１が動作する。電圧変換器４が出力する第２電圧Ｖ２によって第２電圧動作部３２が動作する。また、第２機能部５には、電源回路１が出力する第１電圧Ｖ１が、電圧変換器４及びダイオードＤ１を介する経路で、第２電圧Ｖ２に変換されて入力される。第２機能部５は、第２電圧Ｖ２とレギュレータ７の出力とが入力されて動作する。
【００５１】
ここまで、本発明の実施形態の一例である多機能周辺装置１００について、電気構成とその動作を説明した。続いて、効果を説明する。
本実施形態によれば、モード切替信号ＰＳＤＯＷＮによって動作モードと省電力モードとを切り替える。動作モードにおいては電源回路１が第１電圧Ｖ１を出力し、第１機能部３、第２機能部５がともに動作する。省電力モードにおいては電源回路１が第２電圧Ｖ２を出力し、第２機能部５のみが動作する。また、第１機能部３は、第１電圧Ｖ１で動作する第１電圧動作部３１と、第２電圧Ｖ２で動作する第２電圧動作部３２とを備える。
【００５２】
したがって、例えば、第１電圧動作部３１に印字キャリッジモータ等の各モータの駆動回路を配置し、第２電圧動作部３２にスロット部１０４や液晶表示部１０６の制御回路を配置し、第２機能部５のうちレギュレータ７を介さない入力部分に操作ボタン１０５の検出回路を配置し、第２機能部５のうちレギュレータ７を介する入力部分にＲＴＣ（ＲＥＡＬ  ＴＩＭＥ  ＣＬＯＣＫ）やＣＰＵを配置することができる。
【００５３】
これにより、省電力モードにおいては各モータの駆動回路を停止し、最低限必要な操作ボタン１０５の検出回路や、ＲＴＣ、ＣＰＵ等のみを動作させて、消費電力を低減することができる。また、スロット部１０４や液晶表示部１０６の制御回路等のように、第２電圧Ｖ２で動作するが省電力モードでは不要な機能を第２電圧動作部３２に配置することにより、動作モードにおいて第２電圧Ｖ２で動作させ、省電力モードにおいて停止させることができる。
【００５４】
省電力モードの場合、電源回路１は第２機能部５のみに対して第２電圧Ｖ２を供給すればよいため、電源回路１自体の消費電力を抑えることができる。また、電源回路１が出力する第２電圧Ｖ２を、電圧変換器４を介することなく、短絡手段６を介して供給することができるため、電圧変換器４での消費電力も削減することができる。また、簡単な回路構成で消費電力の低減を実現することができるので、多機能周辺装置１００の小型化が図れる。
【００５５】
動作モードから省電力モードへ移行する際、遅延回路８は、電源回路１の出力電圧が第２機能部５の最大定格電圧Ｖａ以下、基準電圧Ｖｔｈ以上であるタイミングで短絡手段６を短絡させる。また、省電力モードから動作モードへ復帰する際、遅延回路８は、電源回路１の出力電圧が基準電圧Ｖｔｈ以上、第２機能部５の最大定格電圧Ｖａ以下であるタイミングで短絡手段６を開放させる。したがって、第２機能部５に対する電圧供給経路を、電圧変換器４及びダイオードＤ１を通る経路と、短絡手段６及びダイオードＤ２を通る経路との間で切り替えて、第２機能部５を定格の範囲内で常時動作させることができる。
【００５６】
また、第２機能部５の電圧供給経路に挿入されたダイオードＤ１、Ｄ２により、電源回路１の出力電圧切り替え時の逆流を防止することができる。また、省電力モードにおいて停止させる第１機能部３と動作させる第２機能部５とを切り分けることができる。
【００５７】
短絡手段６の短絡、開放は、遅延回路８によって時間で制御する以外にも、電圧に応じてオンオフする素子を用いて電源回路１の出力電圧に基づいて制御してもよい。図８を参照して一例を説明する。
図８は、多機能周辺装置１００の電気構成について他の例を示すブロック図である。ここでは、図２と同様な点については説明を省略し、異なる点を中心に説明する。
【００５８】
図８に示されるように、短絡手段６は、ｐｎｐトランジスタＴｒ１を備える。短絡手段６の入力がトランジスタＴｒ１のエミッタに、短絡手段６の出力がトランジスタＴｒ１のコレクタに接続される。トランジスタＴｒ１のベースは、抵抗Ｒ３を介してｎｐｎトランジスタＴｒ２のコレクタに接続される。トランジスタＴｒ２のベースは、抵抗Ｒ２を介してトランジスタＴｒ１のエミッタと共通に短絡手段６の入力に接続されるとともに、ｎｐｎトランジスタＴｒ３のコレクタに接続される。トランジスタＴｒ３のベースは、ツェナーダイオードＺＤ１のアノードに接続される。ツェナーダイオードＺＤ１のカソードは、抵抗Ｒ１を介してトランジスタＴｒ１のエミッタと共通に短絡手段６の入力に接続される。トランジスタＴｒ２、Ｔｒ３のエミッタはグランドに接続される。
また、ツェナーダイオードＺＤ１のツェナー電圧は、第２機能部５の最大定格電圧Ｖａ以下、かつ、電圧変換器４の動作基準電圧Ｖｔｈ以上とされる。
続いて、電源回路１の出力電圧が第１電圧Ｖ１→第２電圧Ｖ２→第１電圧Ｖ１、と変化する場合の回路動作を説明する。
（１）電源回路１の出力電圧が第１電圧Ｖ１のとき
ツェナー電圧より高い電圧である第１電圧Ｖ１が入力されるため、ツェナーダイオードＺＤ１はオンする。したがって、トランジスタＴｒ３はベース電流が流れ、オンする。トランジスタＴｒ３がオンすることによりトランジスタＴｒ２はベースがグランドレベルになり、オフする。トランジスタＴｒ２がオフすることによりトランジスタＴｒ１はベース電流が流れず、オフする。
（２）電源回路１の出力電圧が第１電圧Ｖ１から第２電圧Ｖ２へ下降するとき
電源回路１の出力電圧が下降し、第２機能部５の最大定格電圧Ｖａ以下、かつ、電圧変換器４の動作基準電圧Ｖｔｈ以上とされるツェナー電圧を下回ると、ツェナーダイオードＺＤ１はオフする。したがって、トランジスタＴｒ３はベース電流が流れず、オフする。トランジスタＴｒ３がオフすることによりトランジスタＴｒ２はベース電流が流れ、オンする。トランジスタＴｒ２がオンすることによりトランジスタＴｒ１はベース電流が流れ、オンする。
（３）電源回路１の出力電圧が第２電圧Ｖ２のとき
ツェナーダイオードＺＤ１はオフするため、上記（２）と同様にトランジスタＴｒ１はオンする。
（４）電源回路１の出力電圧が第２電圧Ｖ２から第１電圧Ｖ１へ上昇するとき
電源回路１の出力電圧が上昇し、第２機能部５の最大定格電圧Ｖａ以下、かつ、電圧変換器４の動作基準電圧Ｖｔｈ以上とされるツェナー電圧を上回ると、ツェナーダイオードＺＤ１はオンする。したがって、上記（１）と同様にトランジスタＴｒ１はオフする。
【００５９】
既に説明した通り、図２に示される例では、短絡手段６の短絡、開放の制御は、遅延回路８により行われた。図８に示される例では、上述のような構成により、電源回路１の出力電圧に応じてオンオフするツェナーダイオードＺＤ１を用いて電源回路１の出力電圧を監視し、トランジスタＴｒ１をオンオフさせることで、短絡手段６の短絡、開放が制御される。すなわち、短絡手段６を構成するトランジスタＴｒ１、Ｔｒ２、Ｔｒ３、抵抗Ｒ１、Ｒ２、Ｒ３、ツェナーダイオードＺＤ１が短絡制御手段として機能する。これにより、遅延回路８を用いることなく、電源回路１の出力電圧が、第２機能部５の最大定格電圧Ｖａ以下、かつ、電圧変換器４の動作基準電圧Ｖｔｈ以上である範囲で、短絡手段６を短絡もしくは開放させることができる。したがって、第２機能部５を定格の範囲内で常時動作させることができる。また、図２に示される例と比較すると、遅延回路８が不要であり、モード切替信号ＰＳＤＯＷＮを入力する必要がないため制御が簡単になる効果がある。
【００６０】
以上、詳細に説明したように、本発明の実施形態によれば、モード切替信号ＰＳＤＯＷＮによって動作モードと省電力モードとを切り替える。動作モードにおいては電源回路１が第１電圧Ｖ１を出力し、第１機能部３、第２機能部５がともに動作する。一方、省電力モードにおいては電源回路１が第２電圧Ｖ２を出力し、第２機能部５のみが動作することにより、消費電力を低減することができる。この場合、電源回路１は第２機能部５のみに対して第２電圧Ｖ２を供給すればよいため、電源回路１自体の消費電力を抑えることができる。また、電圧変換器４が停止し、短絡手段６を介して給電することができるため、電圧変換器４での消費電力も削減することができる。また、簡単な回路構成で消費電力の低減を実現することができるので、多機能周辺装置１００の小型化が図れる。
【００６１】
また、モード切替時、遅延回路８が短絡手段６の短絡、開放を制御する。別の例では、トランジスタＴｒ１、Ｔｒ２、Ｔｒ３、抵抗Ｒ１、Ｒ２、Ｒ３、ツェナーダイオードＺＤ１が短絡制御手段として短絡手段６の短絡、開放を制御する。これにより、第２機能部５を定格の範囲内で常時動作させることができる。
【００６２】
なお、本発明は前記実施形態に限定されるものではなく、本発明の趣旨を逸脱しない範囲内での種々の改良、変更が可能であることは言うまでもない。
例えば、電圧変換器４にモード切替信号ＰＳＤＯＷＮを入力して、電圧変換器４がモード切替信号ＰＳＤＯＷＮに応じて変換動作を停止するようにしてもよい。
【００６３】
また、図４、図７において、第２機能部５の最大定格電圧Ｖａは、電圧変換器４の動作基準電圧Ｖｔｈより大きいものとして説明されたが、本発明はこれに限られない。電圧変換器４の動作基準電圧Ｖｔｈが第２機能部５の最大定格電圧Ｖａより大きい場合、電圧変換器４の停止と短絡手段６の開放とが重なる期間が発生するが、第２機能部５の電圧供給ラインとグランドとの間に接続されたコンデンサＣ１が一時的な電圧供給源として機能する。
【００６４】
また、短絡手段６の短絡、開放の制御は上述した例以外にも、例えば、コンパレータを用いて行ってもよい。
【符号の説明】
【００６５】
１    電源回路
２    メイン基板
３    第１機能部
４    電圧変換器
５    第２機能部
６    短絡手段（短絡制御手段）
７    レギュレータ
８    遅延回路
３１    第１電圧動作部
３２    第２電圧動作部
１００    多機能周辺装置
ＰＳＤＯＷＮ    モード切替信号
Ｖ１    第１電圧
Ｖ２    第２電圧
Ｖａ    第２機能部の最大定格電圧
Ｖｔｈ    基準電圧
【図１】
2010109962.tif 000003
【図２】
2010109962.tif 000004
【図３】
2010109962.tif 000005
【図４】
2010109962.tif 000006
【図５】
2010109962.tif 000007
【図６】
2010109962.tif 000008
【図７】
2010109962.tif 000009
【図８】
2010109962.tif 000010